(57)【要約】  【課題】液面検出装置としての性能を充分に発揮しつつ、経年変化や使用環境などの影響を抑制する。  【解決手段】基準用電極１１４に検出信号を入力し（ｓ２２０）、この基準用電極１１４を通過する通過信号を理想的な信号とするのに適した検出信号を特定して（ｓ２５０）、この検出信号を検出用電極１１２に入力する。この理想的な信号は、マイコン３２０側で検出可能な範囲で充分に大きい信号レベルの通過信号を検出用電極１１２に通過させることのできる検出信号を想定した場合に、この検出信号を入力することで基準用電極１１４を通過することとなる通過信号である。【選択図】図５
2008101995.tif 000002
【特許請求の範囲】
【請求項１】
一対の電極それぞれの少なくとも一部分が液体中に浸漬され、該浸漬している電極の割合に応じて一対の電極を通過する通過信号の信号レベルが変化する検出用電極と、
該検出用電極とは異なる位置であって、液体の液面レベルの変動の影響を受けない位置に設けられた一対の電極からなる特定用電極と、
前記検出用電極および前記特定用電極それぞれに検出用の検出信号を選択的に入力する信号入力手段と、
前記検出信号の入力された前記検出用電極につき、該検出用電極を通過した通過信号の信号レベルから、前記検出用電極において液体中に浸漬している電極の割合を検出し、該検出結果に基づいて、その液体の液面レベルを特定する液面特定手段と、
前記検出信号の入力された前記特定用電極を通過した通過信号に基づいて、該通過信号があらかじめ定められた理想的な信号となるような検出信号を特定する信号特定手段と、を備えており、
前記信号入力手段は、前記信号特定手段により特定された検出信号を、前記検出用電極に入力する
ことを特徴とする液面検出装置。
【請求項２】
前記信号特定手段は、前記特定用電極を通過した通過信号の信号レベルがあらかじめ定められた理想的な信号の信号レベルとなるような周波数の検出信号を特定する
ことを特徴とする請求項１に記載の液面検出装置。
【請求項３】
前記信号特定手段は、前記特定用電極を通過した通過信号の信号レベルがあらかじめ定められた理想的な信号の信号レベルとなるような信号レベルの検出信号を特定する
ことを特徴とする請求項１に記載の液面検出装置。
【請求項４】
前記検出用電極とは異なる位置に設けられた一対の電極からなり、該電極それぞれの全体が液体中に常時浸漬される基準用電極を備え、
前記信号入力手段は、前記検出用電極および前記基準用電極それぞれに前記検出信号を入力して、
前記液面検出手段は、前記検出信号の入力された前記検出用電極および前記基準用電極につき、これら電極を通過した通過信号の信号レベルそれぞれから、前記検出用電極において液体中に浸漬している電極の割合を検出し、該検出結果に基づいて、その液体の液面レベルを特定する
ことを特徴とする請求項１から３のいずれかに記載の液面検出装置。
【請求項５】
前記基準用電極は、前記特定用電極を兼ねる
ことを特徴とする請求項４に記載の液面検出装置。
【請求項６】
前記検出用電極および前記特定用電極それぞれは、同一の平面上に形成された一対の平板状をなした電極により構成されている
ことを特徴とする請求項１から５のいずれかに記載の液面検出装置。
【発明の詳細な説明】
【技術分野】
【０００１】
本発明は、液体の液面レベルを検出する液面検出装置に関する。
【背景技術】
【０００２】
現在、例えば、車両のオイルタンクに収容されたオイルなどの液面レベルを検出するために、次のような液面検出装置が用いられている。
それは、少なくとも一部分が液体中に浸漬される一対の検出用電極を通過した通過信号の信号レベルから、一対の検出用電極において液体中に浸漬している電極の割合を検出し、その検出結果に基づいて液体の液面レベルを検出する、といった構成のものである（例えば、特許文献１参照）。
【特許文献１】特開２００４−２１９１５９号公報
【発明の開示】
【発明が解決しようとする課題】
【０００３】
上述した液面検出装置では、一対の検出用電極を通過した通過信号の信号レベルに基づいて液面レベルを検出しているため、その信号レベルが、検出用電極に検出信号を出力する出力回路及び検出用電極を通過した通過信号を入力する入力回路等の経年変化や使用環境温度の影響を受けて検出可能なレベルを超えてしまわないように、その一対の検出用電極に入力する検出信号の信号レベルをあらかじめ小さく設定することが一般的である。
【０００４】
このように、検出信号の信号レベルを小さく設定していると、当然、通過信号の信号レベルも充分に大きくならないため、結果的に通過信号のＳ／Ｎ比が小さくなってしまう。
また、検出信号の信号レベルを小さく設定するということは、実際に検出される通過信号における信号レベルの最大値から最小値の範囲を、装置として検出可能な範囲（いわゆるダイナミックレンジ）よりも狭くしてしまうことになり、その範囲を有効に利用することができなくなってしまう。
【０００５】
このように、従来の液面検出装置では、検出信号を出力する出力回路及び通過信号を入力する入力回路等の経年変化や使用環境温度の影響を小さくすることはできても、それにより装置としての性能を充分に発揮できないという課題があった。
【０００６】
本発明は、これらの課題を解決するためになされたものであり、その目的は、装置としての性能を充分に発揮しつつ、検出信号を出力する出力回路及び通過信号を入力する入力回路等の経年変化や使用環境温度の影響を抑制するための技術を提供することである。
【課題を解決するための手段】
【０００７】
上記課題を解決するため請求項１に記載の液面検出装置は、一対の電極それぞれの少なくとも一部分が液体中に浸漬され、該浸漬している電極の割合に応じて一対の電極を通過する通過信号の信号レベルが変化する検出用電極と、該検出用電極とは異なる位置であって、液体の液面レベルの変動の影響を受けない位置に設けられた一対の電極からなる特定用電極と、前記検出用電極および前記特定用電極それぞれに検出用の検出信号を選択的に入力する信号入力手段と、前記検出信号の入力された前記検出用電極につき、該検出用電極を通過した通過信号の信号レベルから、前記検出用電極において液体中に浸漬している電極の割合を検出し、該検出結果に基づいて、その液体の液面レベルを特定する液面特定手段と、前記検出信号の入力された前記特定用電極を通過した通過信号に基づいて、該通過信号があらかじめ定められた理想的な信号となるような検出信号を特定する信号特定手段と、を備えている。そして、前記信号入力手段は、前記信号特定手段により特定された検出信号を、前記検出用電極に入力する、ように構成されている。
【０００８】
このように構成された液面検出装置によれば、特定用電極に検出信号を入力し、この特定用電極を通過する通過信号を理想的な信号とするのに適した検出信号を特定して、この検出信号を検出用電極に入力することができる。
【０００９】
そのため、理想的な信号を予め適切に設定しておけば、装置側で検出可能な範囲で充分に大きい信号レベルの通過信号を、検出用電極に通過させることができるようになる。
具体的には、装置側で検出可能な範囲で充分に大きい信号レベルの通過信号を検出用電極に通過させることのできる検出信号を想定した場合に、この検出信号を入力することで特定用電極を通過することとなる通過信号を、理想的な信号として設定するとよい。
【００１０】
このように理想的な信号を設定しておけば、検出信号を出力する出力回路や通過信号を入力する入力回路等の経年変化や使用環境温度の影響を受けない形で、理想的な信号と同様の通過信号を検出用電極に通過させることのできる検出信号を特定させることができる。その結果、この検出信号が検出用電極に入力され、上述したような大きい信号レベルの通過信号が検出用電極を通過することとなる。
【００１１】
そして、検出信号を特定して検出用電極を通過する通過信号を、装置側で検出できる範囲で充分に大きな信号レベルの信号とすることにより、その通過信号のＳ／Ｎ比についても充分に大きくすることができる。
【００１２】
また、上述のように検出信号を特定して検出用電極を通過する通過信号の信号レベルを充分に大きくすることにより、実際に装置側で検出される通過信号における信号レベルの最大値から最小値の範囲を、装置側で検出可能な範囲（いわゆるダイナミックレンジ）と近似または一致させることができるため、この範囲を有効に利用することができるようになる。
【００１３】
なお、一対の電極からなる特定用電極は、検出用電極に入力する検出信号を特定するものであるため、液体の液面レベルの変化によって当該特定用電極を通過した通過信号の信号レベルが変化する位置においては、検出信号の特定が液面レベルの変化の影響を受けてしまうため、好ましいものと言えない。そこで、本発明の装置では、この特定用電極を、検出用電極とは異なる位置であって、液面レベルの変動の影響を受けない位置に設けるようにしている。このとき、液面レベルの変動の影響を受けない位置とは、例えば、常時液体中に浸漬される位置か、液体中ではなく気体中に晒される位置を挙げることができる。
【００１４】
このように、本液面検出装置では、検出信号を出力する出力回路や通過信号を入力する入力回路等の経年変化や使用環境温度の影響を抑制した液面レベルの検出を実現するにあたり、検出用電極からの出力信号（通過信号）のＳ／Ｎ比を充分に大きくし、その信号レベルの最大値から最小値の範囲を有効に利用できるという点で、装置としての性能を充分に発揮することができる。
【００１５】
なお、この構成における信号特定手段は、特定用電極を通過する通過信号を理想的な信号とするのに適した検出信号を特定する手段であり、その具体的な特定方法は特に限定されない。例えば、特定用電極に検出信号を入力した場合の通過信号における信号レベルの最大値が理想的な信号における信号レベルの最大値と一致（所定の範囲を含む；以下同様）した場合を想定し、その場合に特定用電極へと入力されることとなる検出信号を、該当する検出信号として特定するように構成すればよい。
【００１６】
また、この信号特定手段は、それぞれ特性が異なる複数種類の検出信号の中から、理想的な信号に該当する検出信号を特定するように構成すればよく、その特性としては、例えば、検出信号の周波数を適用することが考えられる。このためには、請求項１に記載の構成を、請求項２に記載の液面検出装置のように構成するとよい。
【００１７】
この液面検出装置において、前記信号特定手段は、前記特定用電極を通過した通過信号の信号レベルがあらかじめ定められた理想的な信号の信号レベルとなるような周波数の検出信号を特定する。
【００１８】
この構成では、上述した特定用電極，検出用電極が、一対の電極からなるコンデンサとして機能するため、そこに入力される信号の周波数が高くなるほど、コンデンサとしてのインピーダンスが小さくなることに伴って通過信号の信号レベルが大きくなる。
【００１９】
そのため、信号特定手段は、特定用電極を通過する通過信号の信号レベルが理想的な信号の信号レベルよりも大きければ、その特定用電極に入力した検出信号よりも周波数の値が小さい（低い周波数の）検出信号を特定する。こうして特定された検出信号を検出用電極に入力すれば、コンデンサとしてのインピーダンスが大きくなることに伴って通過信号の信号レベルを小さくすることができる。
【００２０】
その一方、特定用電極を通過する通過信号の信号レベルが理想信号の信号レベルよりも小さければ、その特定用電極に入力した検出信号よりも周波数の値が大きい（高い周波数の）検出信号を特定する。こうして特定された検出信号を検出用電極に入力すれば、コンデンサとしてのインピーダンスが小さくなることに伴って通過信号の信号レベルを大きくすることができる。
【００２１】
このように、信号特定手段により特定された検出信号を検出用電極に入力することにより、この検出用電極を通過する通過信号の信号レベルを、装置側で検出できる範囲で充分に大きな信号レベルとすることができる。
【００２２】
また、上述した信号特定手段が該当する検出信号を特定するにあたって参照される検出信号の特性としては、検出信号の信号レベルを適用することも考えられる。このためには、請求項１に記載の構成を、請求項３に記載の液面検出装置のように構成するとよい。
【００２３】
この液面検出装置において、前記信号特定手段は、前記特定用電極を通過した通過信号の信号レベルがあらかじめ定められた理想的な信号の信号レベルとなるような信号レベルの検出信号を特定する。
【００２４】
この構成では、上述した特定用電極，検出用電極に入力される検出信号の信号レベルが高くなるほど通過信号の信号レベルが大きくなる。
そのため、信号特定手段は、特定用電極を通過する通過信号の信号レベルが理想的な信号の信号レベルよりも大きければ、その特定用電極に入力した検出信号よりも信号レベルの値が小さい検出信号を特定する。こうして特定された検出信号を検出用電極に入力すれば、通過信号の信号レベルを小さくすることができる。
【００２５】
その一方、特定用電極を通過する通過信号の信号レベルが理想的な信号の信号レベルよりも小さければ、その特定用電極に入力した検出信号よりも信号レベルの値が大きい検出信号を特定する。こうして特定された検出信号を検出用電極に入力すれば、通過信号の信号レベルを大きくすることができる。
【００２６】
このように、信号特定手段により特定された検出信号を検出用電極に入力することにより、この検出用電極を通過する通過信号の信号レベルを、装置側で検出できる範囲で充分に大きな信号レベルとすることができる。
【００２７】
ところで、上述した各液面検出装置においては、検出用電極の他、この検出用電極が浸漬される液体中に基準となる電極を常時浸漬させておき、この電極を利用してその液体の劣化などの影響が除去された液面レベルを特定するように構成することが望ましい。
【００２８】
このための構成としては、請求項１から３のいずれかに記載の構成を、請求項４に記載の液面検出装置のように構成することが考えられる。
この液面検出装置においては、前記検出用電極とは異なる位置に設けられた一対の電極からなり、該電極それぞれの全体が液体中に常時浸漬される基準用電極を備えている。そして、前記信号入力手段は、前記検出用電極および前記基準用電極それぞれに前記検出信号を入力して、前記液面検出手段は、前記検出信号の入力された前記検出用電極および前記基準用電極につき、これら電極を通過した通過信号の信号レベルそれぞれから、前記検出用電極において液体中に浸漬している電極の割合を検出し、該検出結果に基づいて、その液体の液面レベルを特定する、ように構成されている。
【００２９】
このように構成すれば、基準用電極全体が検出用電極と同じ液体中に浸漬されているため、例えば、検出用電極および基準用電極を通過する通過信号の信号レベルそれぞれの比に基づいて、液体の劣化などの影響が除去された液面レベルの特定を実現することができる。
【００３０】
また、上述した特定用電極は、検出信号を特定するための専用の構成要素として設けることとすればよいが、液面検出装置に備えられている電極を兼用するように構成してもよい。例えば、上述したように基準用電極が設けられている場合であれば、請求項５に記載のように、この基準用電極を、特定用電極として兼用するように構成することが考えられる。
【００３１】
このように構成すれば、液面検出装置にあらかじめ備えられた基準用電極を流用して検出信号を特定することができるため、そのためだけに専用の電極を設ける必要がない。
また、上述した各液面検出装置では、検出用電極および特定用電極における各電極がどのように形成されているかに拘わらず、上述したような作用，効果を得ることができるが、請求項６に記載のように、検出用電極および特定用電極それぞれが、同一の平面上に形成された一対の平板状をなした電極により構成されている場合において特に好適といえる。
【００３２】
このように一対の平板状の電極が同一の平面上に並んだ構成は、各電極を精度よく配置できるため、コンデンサとしての特性のバラツキ（個体的バラツキ）を抑えることができる、といった点で有利であるが、その構成上から充分に大きな静電容量を確保することが難しい。
【００３３】
その結果、一対の電極が同一の平面上に形成された構成では、検出用電極及び特定用電極のそれぞれを通過する通過信号のＳ／Ｎ比を大きくしにくいという問題がある。
ところが、上述した各液面検出装置では、検出信号を出力する出力回路や通過信号を入力する入力回路等の経年変化や使用環境温度の影響を抑制して通過信号のＳ／Ｎ比を大きくすることができるため、一対の電極が同一の平面上に形成された構成であっても、通過信号のＳ／Ｎ比を大きくすることができる。
【００３４】
また、上述した各液面検出装置については、その手段のうち、ハードウェア構成を除いた全ての手段として機能させるための各種処理手順をコンピュータシステムにより実行させるためのプログラムとして構成することもできる。
【００３５】
このプログラムにより制御されるコンピュータシステムは、上述したいずれかの液面検出装置の一部を構成することができる。
なお、このようなプログラムは、コンピュータシステムによる処理に適した命令の順番付けられた列からなるものであって、各種記録媒体や通信回線を介して液面検出装置やこれを利用するユーザに提供されるものである。
【発明を実施するための最良の形態】
【００３６】
以下に本発明の実施形態を図面と共に説明する。
（１）全体構成
以下に、本発明の実施形態を図面に基づいて説明する。
【００３７】
液面検出装置１は、液体の液面レベルを検出するための装置であって、複数の電極により液面レベルに関するパラメータを検出するレベルセンサ１０と、レベルセンサ１０からの検出結果に基づいて液面レベルを検出する検出回路２０と、を備えている。
【００３８】
なお、本実施形態においては、液面検出装置１が、内燃機関の備えるオイルタンク内に収容されたオイルの液面レベルを検出する装置に適用された場合を例示する。
（１−１）レベルセンサ１０
上述した液面検出装置１において、レベルセンサ１０は、図２に示すように、パラメータ検出用の電極を有するレベル検出素子１００、レベル検出素子１００を収容するケーシング２００などからなる。
【００３９】
レベル検出素子１００は、その上下方向（図２における上下方向）に沿って延びるフィルム状のフィルム部材１０２、フィルム部材１０２の内部に形成された検出用電極１１２，基準用電極１１４，接地用電極１１６などを備えている。なお、これらの電極１１２，１１４，１１６は２枚のフィルム材により挟まれ、この２枚のフィルム材からなるフィルム部材１０２の内部にて液密に封止される。
【００４０】
これらのうち、検出用電極１１２は、フィルム部材１０２における同一平面上に、それぞれフィルム部材１０２の長さ方向に沿って平行に形成された一対の電極からなる。
このように形成された検出用電極１１２は、自身の周囲に存在する物質の誘電率に応じて電極間の静電容量が変化するコンデンサとしての特性を有しており、これら電極がフィルム部材１０２の長さ方向に沿って平行に形成されていることから、両電極間の静電容量（以降、「検出用電極１１２の静電容量」という）は、液中に浸漬している部分の割合（以降、「浸漬割合」という）に応じて変化することとなる。
【００４１】
このように、検出用電極１１２の静電容量と、検出用電極１１２における浸漬割合との間には相関関係があるため、検出用電極１１２の静電容量に基づいて、検出用電極１１２における浸漬割合を特定することで、検出用電極が浸漬している液体の液面レベルを特定することができる。
【００４２】
また、基準用電極１１４は、検出用電極１１２と同様、フィルム部材１０２の長さ方向に沿って平行に形成された一対の電極からなるが、その電極全体を常に液体に浸漬した状態とすべく、フィルム部材１０２の長さ方向に沿った先端側（図２における下側）に形成されている。
【００４３】
このように形成された基準用電極１１４では、検出用電極１１２と同様、自身の周囲に存在する物質の誘電率に応じて電極間の静電容量が変化するという特性を有しており、常に液中に浸漬した状態となることから、両電極間の静電容量（基準用電極１１４の静電容量）は、その浸漬した液体の誘電率に依存して変化することとなる。
【００４４】
このように、基準用電極１１４の静電容量は、液体の誘電率に依存して変化するため、例えば、液体が劣化により変質したり、異なる種類の液体（オイル）がつぎたされたりしたことなどに起因してその誘電率が変化したとしても、その静電容量は、その時点における液体の誘電率を反映したものとなる。そのため、本実施形態においては、後述のように、この基準用電極１１４により検出された静電容量と、検出用電極１１２により検出された静電容量とから液面レベルを特定するようにすることで、液体の誘電率が変化したことの影響を排除した液面レベルの特定を実現するように構成されている。
【００４５】
そして、接地用電極１１６は、フィルム部材１０２の長さ方向に沿って形成された電極であり、検出用電極１１２よりもフィルム部材１０２の長さ方向に沿った後端側（図２における上側）に形成されている。この接地用電極１１６は、グランドライン（接地電位）と電気的に接続することで、この接地用電極１１６周辺のリード部分における静電容量の変化を抑制し、そのリード部分等の寄生容量が検出用電極１１２及び基準用電極１１４の静電容量を測定する際に悪影響を及ぼすことを防止できる。
【００４６】
なお、上述した各電極１１２，１１４，１１６は、それぞれリード線１１８および後述するコネクタ部２７０を介してレベルセンサ１０外部と電気的に接続されるように構成されている。
【００４７】
ケーシング２００は、図２におけるレベルセンサ１０をＡ−Ａにて断面視した断面図である図３に示されるように、２つの半円柱部材２１０，２２０を組み合わせることで、レベルセンサ１０の長さ方向に延びる筒状の形状を構成しており、その内部に形成される内部空間２３０にレベル検出素子１００を収納している。
【００４８】
また、このケーシング２００には、その長さ方向に沿った先端側（図２における下側）および中央部分それぞれに、外部と内部空間２３０とをつなぐ複数の貫通穴２４０，２５０が形成されており、これら貫通穴２４０，２５０を介して外部と内部空間２３０との間における液体の流通を実現するように構成されている。
【００４９】
また、このケーシング２００は、その長さ方向に沿った後端側（図２における上側）に設けられた鍔部２６０、長さ方向に沿った後端から突出するように設けられたコネクタ部２７０を備えている。
【００５０】
この鍔部２６０は、レベルセンサ１０をオイルタンクに取り付ける際にオイルタンクの外表面に当接し、オイルタンクに対するレベルセンサ１０（ケーシング２００）を位置決めするために備えられたものである。また、コネクタ部２７０は、上述したリード線１１８それぞれと接続されており、検出回路２０とレベルセンサ１０との電気的な接続状態を実現するために備えられたものである。
【００５１】
このように構成されたレベルセンサ１０は、測定対象となるオイルタンクに設置されると、その液面レベルに応じた量のオイルがケーシング２００の内部空間２３０に浸入し、レベル検出素子１００が液面レベルに応じた割合だけオイルに浸漬された状態となる。これにより、検出用電極１１２の静電容量は、その液面レベルに応じた値となり、基準用電極１１４の静電容量は、オイルの誘電率に応じた値となる。
（１−２）検出回路２０
上述した液面検出装置１において、検出回路２０は、図１に示すように、電源回路３１０、マイコン３２０、信号出力取得回路３３０、接続先切替回路３４０などからなる。
【００５２】
電源回路３１０は、車両に備えられた電子制御装置（ＥＣＵ）２から電源の供給を受け、この電源を検出回路２０の各部へ供給する。
マイコン３２０は、ＣＰＵ３２１，ＲＯＭ３２２，ＲＡＭ３２３，入出力ポート（Ｉ／Ｏ）３２４などを備えた周知のコンピュータシステムであり、これらの他に、Ａ／Ｄ変換ポート３２５，ＰＷＭ出力部３２６などを備えている。
【００５３】
これらのうち、ＣＰＵ３２１は、ＲＯＭ３２２に記憶されたプログラムに従って後述するレベル検出処理を実行することで、レベルセンサ１０からの検出結果に基づく液面レベルの検出を行い、その結果を電子制御装置２に出力するように構成されている。
【００５４】
信号出力取得回路３３０は、分圧回路３３２、ローパスフィルタ３３４、電流電圧変換回路３３６などからなる。
これらのうち、分圧回路３３２は、それぞれマイコン３２０の異なるポートを介してローパスフィルタ３３４に接続された複数の抵抗素子からなり、マイコン３２０から電源電圧の供給を受ける抵抗素子の組み合わせが変更されることで、その変更タイミングに同期して階段状に信号レベルが変化する信号を、ローパスフィルタ３３４に出力するように構成されている。
【００５５】
また、ローパスフィルタ３３４は、分圧回路３３２から出力される階段状の波形から高周波成分を除去することにより、その階段状の急峻な信号レベルの変化を時定数に応じて緩やかなものとしたうえで、この信号を、接続先切替回路３４０に出力するように構成されている。
【００５６】
また、電流電圧変換回路３３６は、検出用電極１１２または基準用電極１１４から出力される電流波形の信号（電流の変化を示す信号）を、電圧波形の信号（電圧の変化を示す信号）に変換したうえで、この信号をマイコン３２０に出力するように構成されている。
【００５７】
接続先切替回路３４０は、マイコン３２０からの指令を受けて動作するスイッチであり、ローパスフィルタ３３４および電流電圧変換回路３３６の接続先それぞれを、検出用電極１１２または基準用電極１１４のいずれかに切り替えるように構成されている。
（２）マイコン３２０による処理
以下に、マイコン３２０（のＣＰＵ３２１）により実行される処理について説明する。
（２−１）液面レベル検出処理
はじめに、液面レベル検出処理の処理手順を図４に基づいて説明する。この液面レベル検出処理は、液面検出装置１が起動された以降、繰り返し実行される。
【００５８】
この液面レベル検出処理が起動されると、まず、ＲＡＭ３２３，入出力ポート３２４，各種レジスタなどの初期化が行われる（ｓ１０）。
次に、信号特定処理が行われる（ｓ２０）。この信号特定処理は、以降の処理において使用すべき検出信号を特定するための処理であり、詳細な処理手順は後述する。
【００５９】
次に、基準特定処理が行われる（ｓ３０）。この基準特定処理は、基準用電極１１４に対する検出信号の入力を経て、この基準用電極１１４を通過する通過信号の信号レベル（の最大値）を特定するための処理であり、詳細な処理手順は後述する。
【００６０】
次に、検出特定処理が行われる（ｓ４０）。この検出特定処理は、検出用電極１１２に対する検出信号の入力を経て、この検出用電極１１２を通過する通過信号の信号レベル（の最大値）を特定するための処理であり、詳細な処理手順は後述する。
【００６１】
次に、ｓ３０，ｓ４０にて特定された信号レベルそれぞれに基づいて液面レベルが特定される（ｓ５０）。ここでは、ｓ３０，ｓ４０にて特定された信号レベルに基づいて基準用電極１１４，検出用電極１１２の静電容量がそれぞれ算出され、これら静電容量の比に基づく周知の方法により液面レベルが算出される。
【００６２】
なお、ここでは、静電容量の比に基づいて液面レベルを算出しているが、例えば、ｓ３０，ｓ４０にて特定された信号レベルそれぞれに対応する液面レベルを示す値を、数式やデータテーブルに基づいて特定するように構成してもよい。
【００６３】
そして、ｓ５０にて特定された液面レベルに応じたデューティ比のＰＷＭ信号がＰＷＭ出力部３２６からＥＣＵ２に対して出力された後（ｓ６０）、プロセスがｓ２０へ戻る。
このｓ６０では、ＰＷＭ出力部３２６に対し、ｓ５０にて特定された液面レベルに応じたデューティ比のＰＷＭ信号を設定して出力すべき旨が指令され、この指令を受けたＰＷＭ出力部３２６が、該当するデューティ比のＰＷＭ信号をＥＣＵ２に対して出力する。このＰＷＭ信号を入力したＥＣＵ２側では、そのＰＷＭ信号のデューティ比により液面レベルを認識することとなる。
（２−２）信号特定処理
続いて、図４のｓ２０である信号特定処理の処理手順を図５に基づいて説明する。
【００６４】
この信号特定処理では、まず、ローパスフィルタ３３４および電流電圧変換回路３３６の接続先が、基準用電極１１４に切り替えられる（ｓ２１０）。このｓ２１０では、マイコン３２０から接続先切替回路３４０に対し、接続先を切り替えるべき旨を指令するための指令信号が出力され、この指令信号を受けた接続先切替回路３４０が接続先を基準用電極１１４（図１における接点ａ側）に切り替える。
【００６５】
次に、信号出力取得回路３３０により、基準用電極１１４に入力すべき検出信号が生成される（ｓ２２０）。
このｓ２２０では、まず、マイコン３２０が、信号出力取得回路３３０の分圧回路３３２から出力される信号の信号レベルを正弦波状に変化させるべく、分圧回路３３２において信号を供給する抵抗素子の組み合わせを順次変更し、これにより、分圧回路３３２から正弦波状に信号レベルが変化する信号が出力される。
【００６６】
このとき、マイコン３２０は、分圧回路３３２から出力される信号のパラメータが初期値となるように、信号を供給する抵抗素子の組み合わせを順次変更する。本実施形態では、上記パラメータとして正弦波状の信号における周波数が定められており、その周波数が、複数種類の周波数ｆ１〜ｆｎ（ｎは任意の数）の中からあらかじめ設定された初期値ｆｉ（ｆ１≦ｆｉ≦ｆｎ）となるタイミングで、信号を供給する抵抗素子の組み合わせが順次変更される。
【００６７】
こうして分圧回路３３２から出力される信号は、信号出力取得回路３３０のローパスフィルタ３３４を通過することで、高周波成分が除去された正弦波の信号となり、こうして、この信号が基準用電極１１４に入力すべき検出信号として生成される。この検出信号は、接続先切替回路３４０を介して基準用電極１１４に入力される。
【００６８】
次に、基準用電極１１４を通過した通過信号が、信号出力取得回路３３０，Ａ／Ｄ変換ポート３２５および入出力ポート３２４を介して取り込まれ（ｓ２３０）、こうして取り込まれる通過信号における信号レベル（振幅）の最大値が特定される（ｓ２４０）。
【００６９】
そして、ｓ２４０にて特定された信号レベルの最大値に基づいて、後述する処理で検出用電極１１２，基準用電極１１４に入力すべき検出信号が特定された後（ｓ２５０）、こうして特定された検出信号を示すパラメータを戻り値として、プロセスが液面レベル検出処理へ戻る（図４のｓ３０へ移行）。
【００７０】
このｓ２５０では、ｓ２４０にて特定された信号レベルの最大値を理想的な信号とするのに適した検出信号が特定される。本実施形態においては、マイコン３２０側で検出可能な範囲で充分に大きい（望ましくは最も大きい）信号レベルの通過信号を検出用電極１１２に通過させることのできる検出信号を想定した場合に、この検出信号を入力することで基準用電極１１４を通過することとなる通過信号が、理想的な信号に設定されている。
【００７１】
具体的には、まず、ｓ２４０にて特定された信号レベルの最大値，つまり基準用電極１１４に検出信号を入力した場合の通過信号における信号レベルの最大値が理想的な信号における信号レベルの最大値と一致（所定の範囲を含む；以下同様）した場合を想定し、その場合に基準用電極１１４へと入力されることとなる検出信号が該当する検出信号として特定される。本実施形態においては、それぞれ特性としての周波数（ｆ１〜ｆｎ）のみが異なる複数種類の検出信号の中から、該当する周波数ｆｊの検出信号が特定される。
【００７２】
ここで、検出用電極１１２，基準用電極１１４は、一対の電極からなるコンデンサとして機能するため、そこに入力される検出信号の周波数が高くなるほど、インピーダンスが小さくなることに伴って通過信号の信号レベルが大きくなる。
【００７３】
そのため、このｓ２５０では、基準用電極１１４を通過する通過信号の信号レベルが理想的な信号の信号レベルよりも大きければ、ｓ２２０にて基準用電極１１４に入力した検出信号（周波数は初期値ｆｉ）よりも周波数の値が小さい（低い周波数の）検出信号が特定される。こうして特定された検出信号を検出用電極１１２に入力すれば、コンデンサとしてのインピーダンスが大きくなることに伴って通過信号の信号レベルが小さくなる。
【００７４】
その一方、基準用電極１１４を通過する通過信号の信号レベルが理想信号の信号レベルよりも小さければ、ｓ２２０にて基準用電極１１４に入力した検出信号よりも周波数の値が大きい（高い周波数の）検出信号が特定される。こうして特定された検出信号を検出用電極１１２に入力すれば、コンデンサとしてのインピーダンスが小さくなることに伴って通過信号の信号レベルが大きくなる。
【００７５】
つまり、このｓ２５０では、基準用電極１１４を通過する通過信号における信号レベルの最大値が、理想的な信号における信号レベルの最大値よりも大きければ、前者の最大値を後者の最大値と一致させるために、周波数が初期値ｆｉよりも低い周波数ｆｊの検出信号が特定される。一方、基準用電極１１４を通過する通過信号における信号レベルの最大値が、理想的な信号における信号レベルの最大値よりも小さければ、前者の最大値を後者の最大値と一致させるために、周波数が初期値ｆｉよりも高い周波数ｆｊの検出信号が特定される。なお、両最大値が一致している場合には、周波数が初期値ｆｉの検出信号が特定される。
（２−３）基準特定処理
続いて、図４のｓ３０である基準特定処理の処理手順を図６に基づいて説明する。
【００７６】
この基準特定処理では、まず、信号出力取得回路３３０により、基準用電極１１４に入力すべき検出信号が生成される（ｓ３２０）。
このｓ３２０では、まず、図５のｓ２２０と同様に、分圧回路３３２から正弦波状に信号レベルが変化する信号が出力される。このとき、マイコン３２０は、信号を供給する抵抗素子の組み合わせを、分圧回路３３２から出力される正弦波状の信号が図５のｓ２５０にて特定された周波数ｆｊないしｆｉとなるタイミングで順次変更する。
【００７７】
こうして分圧回路３３２から出力される信号は、信号出力取得回路３３０のローパスフィルタ３３４を通過することで、高周波成分が除去された正弦波の信号となり、こうして、この信号が基準用電極１１４に入力すべき検出信号として生成される。この検出信号は、接続先切替回路３４０を介して基準用電極１１４に入力される。
【００７８】
そして、基準用電極１１４を通過した通過信号が、信号出力取得回路３３０，Ａ／Ｄ変換ポート３２５および入出力ポート３２４を介して取り込まれ（ｓ３３０）、こうして取り込まれる通過信号における信号レベル（振幅）の最大値が特定された後（ｓ３４０）、こうして特定された最大値を戻り値として、プロセスが液面レベル検出処理へ戻る（図４のｓ４０へ移行）。
【００７９】
このｓ３３０にて取り込まれる信号レベルの最大値は、この信号が基準用電極１１４を通過した後の信号であることから、基準用電極１１４の静電容量に比例した値となる。上述したように、基準用電極１１４の静電容量は、液体の誘電率に依存して変化するため、ｓ３４０にて特定される信号レベルの最大値は、液体の誘電率に応じた値を示すものということになる。
（２−４）検出特定処理
続いて、図４のｓ４０である検出特定処理の処理手順を図７に基づいて説明する。
【００８０】
この検出特定処理では、まず、ローパスフィルタ３３４および電流電圧変換回路３３６の接続先が、検出用電極１１２に切り替えられる（ｓ４１０）。ここでは、マイコン３２０から接続先切替回路３４０に対し、接続先を切り替えるべき旨を指令するための指令信号が出力され、この指令信号を受けた接続先切替回路３４０が接続先を検出用電極１１２（図１における接点ｂ）に切り替える。
【００８１】
次に、信号出力取得回路３３０により、検出用電極１１２に入力すべき検出信号が生成される（ｓ４２０）。
このｓ４２０では、まず、上述した図６のｓ３２０と同様に、マイコン３２０が、分圧回路３３２において信号を供給する抵抗素子の組み合わせを、分圧回路３３２から出力される正弦波状の信号が図５のｓ２５０にて特定された周波数ｆｊないしｆｉとなるタイミングで順次変更し、これにより、分圧回路３３２から正弦波状に信号レベルが変化する信号が出力される。
【００８２】
こうして分圧回路３３２から出力される信号は、信号出力取得回路３３０のローパスフィルタ３３４を通過することで、高周波成分が除去された正弦波の信号となり、こうして、この信号が検出用電極１１２に入力すべき検出信号として生成される。この検出信号は、接続先切替回路３４０を介して検出用電極１１２に入力される。
【００８３】
そして、検出用電極１１２を通過した通過信号が、信号出力取得回路３３０，Ａ／Ｄ変換ポート３２５および入出力ポート３２４を介して取り込まれ（ｓ４３０）、こうして取り込まれる通過信号における信号レベル（振幅）の最大値が特定された後（ｓ４４０）、こうして特定された最大値を戻り値として、プロセスが液面レベル検出処理へ戻る（図４のｓ５０へ移行）。
【００８４】
このｓ４３０にて取り込まれる信号レベルの最大値は、この信号が検出用電極１１２を通過した後の信号であることから、検出用電極１１２の静電容量に比例した値となる。上述したように、検出用電極１１２の静電容量は、検出用電極１１２の液中への浸漬割合により変化するため、ｓ４３０で特定される信号レベルの最大値は、検出用電極１１２の浸漬割合に応じた値，つまり液面レベルを特定可能な値ということになる。
（３）作用，効果
このように構成された液面検出装置１によれば、基準用電極１１４に検出信号を入力し、この基準用電極１１４を通過する通過信号を理想的な信号とするのに適した検出信号を特定して、この検出信号を検出用電極１１２に入力することができる。
【００８５】
本実施形態においては、マイコン３２０側で検出可能な範囲で充分に大きい信号レベルの通過信号を検出用電極１１２に通過させることのできる検出信号を想定した場合に、この検出信号を入力することで基準用電極１１４を通過することとなる通過信号が、理想的な信号として設定されている。
【００８６】
そのため、検出信号を出力する出力回路（分圧回路３３２，ローパスフィルタ３３４）及び通過信号を入力する入力回路（電流電圧変換回路）等の経年変化や使用環境温度（換言すれば温度特性）の影響を受けない形で、充分に大きい信号レベルの通過信号を検出用電極１１２に通過させることができるような検出信号を特定することができる結果、これを検出用電極１１２に入力することで、上述したような大きい信号レベルの通過信号を検出用電極１１２に通過させることができる。
【００８７】
このように、検出用電極１１２を通過する通過信号を、マイコン３２０側で検出できる範囲で充分に大きな信号レベルの信号とすることにより、その通過信号のＳ／Ｎ比についても充分に大きくすることができる。
【００８８】
また、上述のように検出信号を特定して検出用電極１１２を通過する通過信号の信号レベルを充分に大きくすることにより、実際にマイコン３２０側で検出される通過信号における信号レベルの最大値から最小値の範囲を、マイコン３２０側で検出可能な範囲（いわゆるダイナミックレンジ）と近似または一致させることができるため、この範囲を有効に利用することができるようになる。
【００８９】
ここで、マイコン３２０側では、Ａ／Ｄ変換ポート３２５を介して通過信号を取り込んでいるため、その範囲を広く有効に利用できるということは、Ａ／Ｄ変換ポート３２５による変換時の分解能を高くして通過信号の取り込みを実現できることを意味する。
【００９０】
このように、液面検出装置１では、検出信号を出力する出力回路や通過信号を入力する入力回路等の経年変化や使用環境温度の影響を抑制した液面レベルの検出を実現するにあたり、検出用電極１１２における通過信号のＳ／Ｎ比を充分に大きくし、その信号レベルの最大値から最小値の範囲を有効に利用できるという点で、装置としての性能を充分に発揮することができる。
【００９１】
また、上記構成では、図５のｓ２５０において、それぞれ特性として周波数が異なる複数種類の検出信号の中から、該当する検出信号を特定するように構成されている。
この構成では、基準用電極１１４を通過する通過信号の信号レベルと、理想的な信号の信号レベルとに基づき、その基準用電極１１４に入力した検出信号を基準とした周波数の検出信号を特定することができる。
【００９２】
こうして特定された検出信号を、図７のｓ４２０にて検出用電極１１２に入力することにより、この検出用電極１１２を通過する通過信号の信号レベルを、マイコン３２０側で検出できる範囲で充分に大きな信号レベルとすることができる。
【００９３】
また、信号特定処理（図５）において検出信号が入力される基準用電極１１４は、常時液体中に浸漬される位置，つまり、検出用電極１１２とは異なる位置であって、液面レベルの変動を受けない位置に設けられている。そのため、この検出用電極１１２における経年劣化や使用環境の影響を抑制して液面レベルの特定を実施することができる。
【００９４】
基準用電極１１４は、検出用電極１１２に入力する検出信号を特定するものであり、液体の液面レベルの変化によって当該基準用電極１１４を通過した通過信号の信号レベルが変化する位置においては、検出信号の特定が液面レベルの変化の影響を受けてしまうため、好ましいものと言えない。そこで、上記構成では、基準用電極１１４を、検出用電極１１２とは異なる位置であって、液面レベルの変動を受けない位置に設けることで、そのような液面レベルの変化の影響を受けてしまうことを防止している。
【００９５】
また、上記実施形態では、基準用電極１１４全体が検出用電極１１２と同じ液体中に浸漬されているため、検出用電極１１２および基準用電極１１４を通過する通過信号の信号レベルそれぞれの比に基づいて、液体の劣化などの影響が除去された液面レベルの特定を実現することができる。
【００９６】
また、上記実施形態では、信号特定処理（図５）において、液面レベルを検出する際に利用される基準用電極１１４を流用して検出信号の特定を実施している。このように、液面検出装置１にあらかじめ備えられた基準用電極１１４を流用して検出信号を特定することができるため、そのためだけに専用の電極を設ける必要がない。
（４）変形例
以上、本発明の実施の形態について説明したが、本発明は、上記実施形態に何ら限定されることはなく、本発明の技術的範囲に属する限り種々の形態をとり得ることはいうまでもない。
【００９７】
例えば、上記実施形態においては、本発明における液面検出装置を、オイルタンク内に収容されたオイルの液面レベルを検出する装置に適用した場合について例示した。しかし、本発明における液面検出装置は、液体の液面レベルを検出するための装置であれば、上記のようにオイルの液面レベルを検出する以外の装置にも適用することができる。
【００９８】
また、上記実施形態においては、マイコン３２０からの指令および分圧回路３３２により、検出用電極１１２，基準用電極１１４に入力すべき信号をハードウェア的に生成するように構成されたものを例示した。しかし、この信号については、マイコン３２０内部でソフトウェア的に生成するように構成してもよい。
【００９９】
また、上記実施形態においては、信号特定処理（図５）において検出信号が入力される一対の電極（特定用電極）として、液面レベルを検出する際に利用される基準用電極１１４を流用している構成を例示した。しかし、信号特定処理（図５）において検出信号が入力される一対の電極としては、液面レベルを検出する際に利用される基準用電極１１４以外のものであってもよい。
【０１００】
また、信号特定処理（図５）において検出信号が入力される一対の電極としては、基準用電極１４を流用した構成ではなく、専用の構成要素として一対の電極を別途設けることとしてもよい。
【０１０１】
また、上記実施形態においては、検出用電極１１２および基準用電極１１４として、それぞれの電極がフィルム部材１０２における同一の面上に形成されている構成を例示した。しかし、これら検出用電極１１２および基準用電極１１４としては、各電極が同一平面上に形成された以外の構成のものを採用することもできる。
【０１０２】
また、上記実施形態において、図４の液面レベル検出処理では、ｓ２０〜ｓ６０を繰り返すことにより、この繰り返し周期毎にｓ２０の信号特定処理を行ってパラメータを特定するように構成されたものを例示した。しかし、信号特定処理によるパラメータの特定は、液面レベル検出処理が起動したときに１回のみ行うように構成してもよく、この場合、図４のｓ６０の後でプロセスをｓ３０に戻すと共に、図６のｓ３２０の前に、図５のｓ２１０と同様に接続先を基準用電極へ切り替える処理を行うように構成すればよい。
【０１０３】
さらに、上記実施形態において、図４の液面レベル検出処理のｓ６０では、ｓ５０にて特定された液面レベルに応じたデューティ比のＰＷＭ信号を設定して出力する処理を実行するものを例示した。しかし、このｓ６０では、ｓ５０にて特定された液面レベルに応じたデューティ比のＰＷＭ信号の設定のみを行うものとし、その上でマイコン３２０（ＣＰＵ３２１）内で別途独立してＰＷＭ信号を出力する処理を実行させ、ｓ６０のＰＷＭ信号の設定情報を別途独立した上記ＰＷＭ信号の出力信号にフィードバックし、ＰＷＭ出力部３２６を介してＰＷＭ信号をＥＣＵ２に出力させても良い。
【０１０４】
また、上記実施形態においては、図５のｓ２５０で、特性としての周波数が異なる複数種類の検出信号の中から該当する検出信号が特定されるように構成されたものを例示した。しかし、このｓ２５０では、特性として周波数以外が異なる複数種類の検出信号の中から該当する検出信号が特定されるように構成してもよい。具体的な特性としては、例えば、検出信号の信号レベルを採用することができ、このためには、次のように構成することが考えられる。
【０１０５】
まず、分圧回路３３２の回路構成（抵抗素子の数や接続関係）を、マイコン３２０側からの指令に応じて、それぞれ信号レベルが異なる複数種類の検出信号を出力できるように構成しておく。
【０１０６】
また、図５のｓ２５０にてそれぞれ信号レベル（Ｖ１〜Ｖｎ）が異なる複数種類の検出信号の中から、該当する信号レベルＶｊ（Ｖ１≦Ｖｊ≦Ｖｎ）の検出信号を特定するようにする。ここで、上述した基準用電極１１４，検出用電極１１２に入力される検出信号の信号レベルが高くなるほど通過信号の信号レベルが大きくなる。
【０１０７】
そのため、このｓ２５０では、基準用電極１１４を通過する通過信号の信号レベルが理想的な信号の信号レベルよりも大きければ、その基準用電極１１４に入力した検出信号よりも信号レベルの値が大きい検出信号を特定する。こうして特定された検出信号を検出用電極１１２に入力すれば、通過信号の信号レベルが小さくなる。
【０１０８】
その一方、基準用電極１１４を通過する通過信号の信号レベルが理想的な信号の信号レベルよりも小さければ、その基準用電極１１４に入力した検出信号よりも信号レベルの値が大きい検出信号を特定する。こうして特定された検出信号を検出用電極に入力すれば、通過信号の信号レベルが大きくなる。
【０１０９】
つまり、このｓ２５０では、基準用電極１１４を通過する通過信号における信号レベルの最大値が、理想的な信号における信号レベルの最大値よりも大きければ、前者の最大値を後者の最大値と一致させるために、信号レベルが初期値Ｖｉよりも小さい検出信号が特定される。一方、基準用電極１１４を通過する通過信号における信号レベルの最大値が、理想的な信号における信号レベルの最大値よりも小さければ、前者の最大値を後者の最大値と一致させるために、信号レベルが初期値Ｖｉよりも大きい検出信号が特定される。なお、両最大値が一致している場合には、信号レベルが初期値Ｖｉの検出信号が特定される。
【０１１０】
そして、図６のｓ３２０，図７のｓ４２０では、分圧回路３３２から図５のｓ２５０にて特定された信号レベルＶｊないしＶｉで正弦波状の信号を出力すべく、分圧回路３３２において信号を供給する抵抗素子の組み合わせを順次変更するようにする。
【０１１１】
この構成では、基準用電極１１４を通過する通過信号の信号レベルと、理想的な信号の信号レベルとに基づき、その基準用電極１１４に入力した検出信号を基準とした信号レベルの検出信号を特定することができる。
【０１１２】
こうして特定された検出信号を、図７のｓ４２０にて検出用電極１１２に入力することにより、この検出用電極１１２を通過する通過信号の信号レベルを、マイコン３２０側で検出できる範囲で充分に大きな信号レベルとすることができる。
（５）本発明との対応関係
以上説明した実施形態において、基準用電極１１４が本発明における特定用電極である。また、接続先切替回路３４０，分圧回路３３２，ローパスフィルタ３３４，図５のｓ２１０，ｓ２２０，図６のｓ３２０，図７のｓ４１０，ｓ４２０が本発明における信号入力手段である。また、図４のｓ５０が本発明における液面特定手段である。そして、図５のｓ２５０が本発明における信号特定手段である。
【図面の簡単な説明】
【０１１３】
【図１】液面検出装置の全体構成を示すブロック図
【図２】レベルセンサの外観（一部破断）を示す図
【図３】レベルセンサの断面図（図２のＡ−Ａ断面図）
【図４】液面レベル検出処理を示すフローチャート
【図５】信号特定処理を示すフローチャート
【図６】基準特定処理を示すフローチャート
【図７】検出特定処理を示すフローチャート
【符号の説明】
【０１１４】
１…液面検出装置、２…電子制御装置、１０…レベルセンサ、１４…基準用電極、２０…検出回路、１００…レベル検出素子、１０２…フィルム部材、１１２…検出用電極、１１４…基準用電極、１１６…接地用電極、１１８…リード線、２００…ケーシング、２１０…半円柱部材、２３０…内部空間、２４０…貫通穴、２５０…貫通穴、２６０…鍔部、２７０…コネクタ部、３１０…電源回路、３２０…マイコン、３２１…ＣＰＵ、３２２…ＲＯＭ、３２３…ＲＡＭ、３２４…入出力ポート、３２５…Ａ／Ｄ変換ポート、３２６…ＰＷＭ出力部、３３０…信号出力取得回路、３３２…分圧回路、３３４…ローパスフィルタ、３３６…電流電圧変換回路、３４０…接続先切替回路。
【図１】
2008101995.tif 000003
【図２】
2008101995.tif 000004
【図３】
2008101995.tif 000005
【図４】
2008101995.tif 000006
【図５】
2008101995.tif 000007
【図６】
2008101995.tif 000008
【図７】
2008101995.tif 000009